(57)【特許請求の範囲】
【請求項１】
通常時には止水弁体に対し軸方向に抜け止めされた状態で止水弁体を操作する止水弁操作用のハンドルが取外し可能であり、且つ該ハンドルが給水設備用機器の脱着工具を兼ねていることを特徴とする止水栓装置。
【請求項２】
請求項１において、前記給水設備用機器がストレーナであることを特徴とする止水栓装置。
【請求項３】
請求項１において、前記給水設備用機器が逆止弁であることを特徴とする止水栓装置。
【請求項４】
請求項１において、前記給水設備用機器が配管の接続口を閉鎖するキャップであることを特徴とする止水栓装置。
【請求項５】
請求項１〜４の何れかにおいて、前記ハンドルが、裏面側に前記止水弁体の被操作部に係合して該止水弁体を開閉動作させる止水弁係合部を有し、表面側に前記給水設備用機器の被操作部に係合して該給水設備用機器を脱着操作するための機器係合部を有しており、表裏を裏返すことによって止水弁用ハンドル又は機器用工具として働くものとなしてあることを特徴とする止水栓装置。
【請求項６】
請求項１〜５の何れかにおいて、前記ハンドルは回転操作ハンドルであって平面形状が多角形状をなしており、外周面の角部と角部との間の部分が指掛り用の凹部となしてあることを特徴とする止水栓装置。
【請求項７】
請求項６において、前記ハンドルは平面形状が六角形状となしてあることを特徴とする止水栓装置。
【請求項８】
請求項６，７の何れかにおいて、前記ハンドルは前記角部において前記表面側に突出する複数の突出部を有しており、該表面側の前記機器係合部を前記給水設備用機器の被操作部に係合させた状態でそれら突出部が前記止水弁体の被操作部に外嵌するものとなしてあることを特徴とする止水栓装置。
【請求項９】
請求項１〜８の何れかにおいて、前記ハンドルは前記止水弁体を完全閉止位置まで操作した状態で取外し可能とされていることを特徴とする止水栓装置。
【請求項１０】
請求項９において、前記ハンドルには前記止水弁体の被操作部の雌嵌合部に内嵌する雄嵌合部が設けてあるとともに、該雄嵌合部と止水栓本体とには該止水弁体の開弁状態で軸方向に互いに掛止して該ハンドルの軸方向の抜けを阻止し、前記完全閉止状態で掛止解除して該ハンドルの軸方向の取外しを可能とする掛止部がそれぞれ設けてあることを特徴とする止水栓装置。
【発明の詳細な説明】
【０００１】
【発明の属する技術分野】
この発明は止水栓装置に関し、詳しくはストレーナ等の給水設備用機器の脱着作業を容易に行うための技術手段に特徴を有するものに関する。
【０００２】
【従来の技術】
一般に水栓への給水等の配管の途中には止水栓装置が組み込まれ、配管内を流通する水等の流量を調節し或いは止水を行えるようになしてある。
従来、この止水栓装置としては平面形状が三角形状のハンドルを用いたものが一般的である。
またそのような止水栓装置と併せて、その近傍にストレーナを配管上に配設し、水等に含まれる異物を除去するようになしてある。
【０００３】
従来、この止水栓装置とストレーナとはそれぞれを別体のものとして構成し、そして止水栓装置に対してストレーナを備えた配管部材を袋ナットで接続するようにしていた。
しかしながらこの場合、部品点数が多くなってしまい、コストも高いものとなってしまう。
そこでストレーナを止水栓装置に一体的に組み込み、全体を一つのユニットとして構成することが考えられる。
【０００４】
ところで前者，後者何れの場合においても、一定期間使用するとストレーナへの付着物の量が多くなり、従って一定期間毎にストレーナを取り外して清掃作業等のメンテナンス作業を行う必要が生ずる。
この場合、一般の家庭等においては水の使用量も少ないためにメンテナンス作業の頻度は少なくて済むが、例えば美容院や理容院等業務用に多量の水を使用するところでは、ストレーナのメンテナンス作業も例えば月に１回以上行わなければならないなど、メンテナンス作業の頻度も必然的に高くなる。
【０００５】
【発明が解決しようとする課題】
しかしながら、従来にあってはストレーナのメンテナンス作業を行うべくこれを脱着する際にドライバ等の工具を必要とし、この場合メンテナンス作業に際して必要な工具を所定の収納箇所まで取りに行かなければならないといった面倒があり、また特に美容院等においては女性がこれを行うことが難しいといった問題があった。
【０００６】
以上ストレーナの脱着を中心として説明したが、同様の問題は逆止弁，配管の接続口を閉鎖するキャップ等他の給水設備用機器の脱着に際しても同じように起り得る。
【０００７】
【課題を解決するための手段】
本発明はこのような事情を背景とし、女性でも容易にまた工具を必要とすることなくストレーナ等給水設備用機器の脱着を行うことのできる止水栓装置を提供することを目的としてなされたものである。
而して請求項１の止水栓装置は、通常時には止水弁体に対し軸方向に抜け止めされた状態で止水弁体を操作する止水弁操作用のハンドルが取外し可能であり、且つ該ハンドルが給水設備用機器の脱着工具を兼ねていることを特徴とする。
【０００８】
請求項２のものは、請求項１において、前記給水設備用機器がストレーナであることを特徴とする。
【０００９】
請求項３のものは、請求項１において、前記給水設備用機器が逆止弁であることを特徴とする。
【００１０】
請求項４のものは、請求項１において、前記給水設備用機器が配管の接続口を閉鎖するキャップであることを特徴とする。
【００１１】
請求項５のものは、請求項１〜４の何れかにおいて、前記ハンドルが、裏面側に前記止水弁体の被操作部に係合して該止水弁体を開閉動作させる止水弁係合部を有し、表面側に前記給水設備用機器の被操作部に係合して該給水設備用機器を脱着操作するための機器係合部を有しており、表裏を裏返すことによって止水弁用ハンドル又は機器用工具として働くものとなしてあることを特徴とする。
【００１２】
請求項６のものは、請求項１〜５の何れかにおいて、前記ハンドルは回転操作ハンドルであって平面形状が多角形状をなしており、外周面の角部と角部との間の部分が指掛り用の凹部となしてあることを特徴とする。
【００１３】
請求項７のものは、請求項６において、前記ハンドルは平面形状が六角形状となしてあることを特徴とする。
【００１４】
請求項８のものは、請求項６，７の何れかにおいて、前記ハンドルは前記角部において前記表面側に突出する複数の突出部を有しており、該表面側の前記機器係合部を前記給水設備用機器の被操作部に係合させた状態でそれら突出部が前記止水弁体の被操作部に外嵌するものとなしてあることを特徴とする。
【００１５】
請求項９のものは、請求項１〜８の何れかにおいて、前記ハンドルは前記止水弁体を完全閉止位置まで操作した状態で取外し可能とされていることを特徴とする。
【００１６】
請求項１０のものは、請求項９において、前記ハンドルには前記止水弁体の被操作部の雌嵌合部に内嵌する雄嵌合部が設けてあるとともに、該雄嵌合部と止水栓本体とには該止水弁体の開弁状態で軸方向に互いに掛止して該ハンドルの軸方向の抜けを阻止し、前記完全閉止状態で掛止解除して該ハンドルの軸方向の取外しを可能とする掛止部がそれぞれ設けてあることを特徴とする。
【００１７】
【作用及び発明の効果】
上記のように本発明の止水栓装置は、通常時、止水弁体に対し軸方向に抜け止めされた状態で止水弁体を操作する止水弁操作用のハンドルを取外し可能となして、これを給水設備用機器の脱着工具を兼ねるようになしたもので、本発明によれば、給水設備用機器の脱着を行う際、従来のように必要な工具を遠く離れた工具の収納箇所まで取りに行くといった必要がなく、単に止水弁操作用のハンドルを取り外し、そのハンドルを用いて給水設備用機器を取り外して清掃作業等の必要な作業を行うことができ、同作業を容易に行うことができる。
【００１８】
また必要な工具が見付からないことによって、給水設備用機器の脱着作業がなかなかできないといった問題も解消することができる。
また止水弁操作用のハンドルはドライバ等の工具と異なって弱い力でも操作可能であり、従って美容院等において女性でも簡単にストレーナ等給水設備用機器の脱着作業を行うことが可能となる。
【００１９】
本発明では止水弁操作用のハンドルを、給水設備用機器としてのストレーナの脱着工具として構成することができる（請求項２）。
このようにしておけば、止水弁操作用のハンドルを用いてストレーナの脱着を行うことができ、ストレーナのメンテナンス作業を容易に行うことができる。
【００２０】
この場合において、止水弁操作用のハンドルを用いてストレーナの脱着を行うに当り、止水栓装置とは別の箇所に設けてあるストレーナを、そのハンドルで脱着するようになすこともできるし、或いはまた止水栓装置にストレーナが一体的に組み込まれ、それらが単一のユニットとして構成されている場合においても、そのハンドルを用いてストレーナの脱着を行うようになすことができる。
【００２１】
本発明ではまた、止水弁操作用のハンドルを給水設備用機器としての逆止弁の脱着工具として構成することもできる（請求項３）。或いはまた、配管の接続口を閉鎖するキャップの脱着用工具として構成することもできる（請求項４）。
何れの場合においても、止水弁操作用のハンドルを用いて容易にそれら逆止弁，キャップを脱着作業することができる。
尚これら請求項３，請求項４において、逆止弁，キャップが止水栓装置とは別の箇所に設けてある場合においても、その脱着工具として止水弁操作用のハンドルを用いることができる。
【００２２】
本発明においては、ハンドルの裏面側に止水弁係合部を、また表面側に機器係合部を設け、ハンドルの表裏を裏返すことによって止水弁用ハンドルとして、また機器用工具として用い得るようになすことができる（請求項５）。
このようにすれば、同じハンドルを容易に止水弁用ハンドルとしても、また機器用工具としても機能すべく構成することができる。
【００２３】
本発明においてはまた、上記ハンドルを回転操作ハンドルとなし、その平面形状を多角形状となすとともに、外周面の角部と角部との間の部分に指掛り用の凹部を形成しておくことができる（請求項６）。
このようにしておけば、角部によって指の滑りを防止し、操作力を十分にハンドルに伝え得て、ハンドルを軽やかに回転操作することができるとともに、そのハンドルには角部と角部との間に指掛り用の凹部が形成してあってそこに指を載せ且つ掛けることができるため、ハンドルの回転操作を更に容易に行える利点が得られる。
【００２４】
この場合において、そのハンドルは平面形状を六角形状となしておくことができる（請求項７）。
例えばこのハンドルを平面形状が従来の止水栓装置と同様の三角形状となしておくこともできるが、この場合ハンドルを弱い力でも軽やかに回転操作できるようにしようとすると平面形状・寸法が大きくなってしまう。
しかるにこれを六角形状としておくことで寸法が大きくなってしまうのを回避することができる。
【００２５】
次に請求項８のものは、ハンドルの角部において表面側に突出する複数の突出部を設け、給水設備用機器を脱着操作する際その突出部を止水弁体の被操作部に外嵌させるようになしたもので、この請求項８の止水栓装置においては、ハンドルを取り外した上で表裏を裏返しにして給水設備用機器を脱着操作する際、上記突出部が止水弁体の被操作部に外嵌することによって、ハンドル（工具）が落下するのを防止することができる。即ち止水弁体の被操作部に対して複数の突出部が外嵌することによって、ハンドル（工具）を給水設備用機器の被操作部に対し係合状態に保持することができ、これにより給水設備用機器の脱着作業の際の作業性が良好となる。
【００２６】
また止水弁体の操作をハンドルによって行う際、突出部の存在によって軸方向の指掛り長さが長くなり、これによりハンドルを摘み易くなるとともに操作力を効率的にハンドルに伝えることができ、止水弁体の操作も容易となる利点が得られる。
【００２７】
請求項９のものは、止水弁体を完全閉止位置まで操作した状態でハンドルを取外し可能となしたもので、このようにしておけば、止水弁体が完全閉止位置まで到らない状態でハンドルが外れてしまい、その状態で例えば止水栓装置に一体的に組み込んだストレーナ等を誤って取り外したような場合に、配管内の水等がそのストレーナ等の取付箇所から外部に溢れ出てしまうといったことを防止することができる。
【００２８】
この場合において、ハンドルには止水弁体の被操作部の雌嵌合部に内嵌する雄嵌合部を設け、その雄嵌合部と止水栓本体とのそれぞれに、止水弁体の開弁状態で軸方向に互いに掛止してハンドルの抜けを阻止し、完全閉止状態でその掛止を解除してハンドルの軸方向の抜けを許容する掛止部を設けておくことができる（請求項１０）。
このようにすることで、止水弁体の開弁状態でのハンドルの抜けを防止し、完全閉止状態でハンドルの取外しを可能とすることを容易に実現することができる。
【００２９】
【実施例】
次に本発明の実施例を図面に基づいて詳しく説明する。
図１において、１０は内部に通水路１２を有する屈曲形状の管体で、各端部に雌ねじ１４及び雄ねじ１６を有しており、それら雌ねじ１４及び雄ねじ１６において相手側配管と接続されるようになっている。
この管体１０には、止水弁体１８，逆止弁１９，ストレーナ２０，ハンドル２１を組んで成る弁ユニット２２が組み付けられている。
【００３０】
逆止弁１９は、図２に示しているように開口２３を有する円筒形状の弁ケーシング２４を有しており、その弁ケーシング２４が管体１０にねじ結合されている。そしてその弁ケーシング２４内部において、逆止弁体２６がその弁ケーシング２４に開閉可能に組み付けられている。
逆止弁体２６は、スプリング２８によって常時閉弁方向に付勢されており、図１（Ｂ）中矢印で示す順方向の流れが生じたときその流れによって開弁し、また逆方向の流れに対しては弁座３０への当接により閉弁して逆方向の流れを阻止する。
【００３１】
管体１０には円形の嵌合孔３２（図３参照）が形成されており、そこに上記弁ケーシング２４における開口２３に対応した開口３４を有する円筒形状の止水弁体１８が回転可能に嵌合されている。
ここで止水弁体１８は、その内周面においても上記逆止弁１９における弁ケーシング２４の外周面に回転可能に嵌合している。
尚、この弁ケーシング２４における開口２３の周りにはシール部材３６が配置されている。
【００３２】
図２（Ｉ）は止水弁体１８がその開口３４を弁ケーシング２４における開口２３に完全に一致させた状態、即ち完全に開いた状態を示しており、この状態では設定した最大流量で水が止水弁体１８及び逆止弁体２６を通って下流側へと流通する。
【００３３】
この状態から止水弁体１８が回転させられると、開口３４と２３との重複部分の面積が減少し、これに伴って通水量が減少する。
そして開口３４が開口２３に対して完全不一致となる位置まで回転操作されたところで水の流通が停止する。即ち止水状態となる。
図２（II）はこのときの状態を示している。
【００３４】
この止水弁体１８には、円筒形状の被操作部３８が一体回転状態で設けられている。止水弁体１８に対する回転操作はこの被操作部３８を通じて行われる。
【００３５】
上記逆止弁１９における弁ケーシング２４の内部には、通水路１２を流通する水から異物を取り除くためのメッシュ状且つ円筒形状のストレーナ２０が配設されている。
ストレーナ２０は、図２中下端を弁ケーシング２４の段違部に当接させる状態で配設されている。
また同図中上端部には栓体４０が固定されている。
【００３６】
この栓体４０は、弁ケーシング２４の一方の開口（図中上側の開口）を閉塞するとともに、ストレーナ２０を脱着操作するための被操作部となる部分であって、図５（Ａ）に示しているように図中上端面に略十字状の係合溝４４が設けられている。
尚、この栓体４０は弁ケーシング２４に対しねじ結合されている。
【００３７】
上記ハンドル２１は、裏面側に円筒形状の雄嵌合部４６を有しており、その雄嵌合部４６が止水弁体１８の被操作部３８の雌嵌合部４８に内嵌する状態で組み付けられている。
この雄嵌合部４６には、図４及び図５（Ｂ）に明かに示しているように一対の係合突起（止水弁係合部）５０が設けられており、それら係合突起５０が、これに対応して被操作部３８の雌嵌合部４８に設けた一対の係合凹部５２に係合している。
そしてそれらの係合作用によって、ハンドル２１と被操作部３８が一体回転するようになっている。即ちハンドル２１の回転操作によって、被操作部３８介して止水弁体１８が回転運動するようになっている。
【００３８】
雄嵌合部４６にはまた、図５（Ｂ）に示しているように周方向に１８０°隔たった２位置に径方向内向きの掛止突部（掛止部）５４が形成されている。
一方弁ケーシング２４には、これに対応して径方向外向きに突出する鍔状部（掛止部）５６が設けられており、通常時はそれら掛止突部５４と鍔状部５６とが軸方向に掛止した状態となっている。そしてそれらの掛止に基づいて、ハンドル２１が軸方向に抜け防止されている。
【００３９】
この鍔状部５６には、同じく周方向に１８０°隔たった２位置に、掛止突部５４に対応した形状の切欠部５８（図５（Ａ）参照）が形成されており、止水弁体１８が完全閉止位置に到るまでハンドル２１を回転操作したとき、それら掛止突部５４と切欠部５８とが丁度対向するようになっている。切欠部５８の形成位置が予めそのように選ばれている。
【００４０】
而して図６(II)(Ａ)に示しているように掛止突部５４と切欠部５８が丁度対向する状態となったとき、ここにおいて掛止突部５４と鍔状部５６との掛止状態が解除され、ハンドル２１が軸方向に取外し可能となる。
尚、ハンドル２１の裏面側には図２に示しているように弁ケーシング２４及び栓体４０との干渉を回避するための凹部５９が形成されている。
【００４１】
一方ハンドル２１の表面側においても凹部６０が形成されており、その凹部６０の底部に、栓体４０における係合溝４４に係合する略十字状の係合突部（機器係合部）６４が貫通孔７２周りに図中上向き突出状に且つ放射状に設けられている。
【００４２】
ハンドル２１は、図１（Ａ）及び図５に示しているように平面形状が六角形状をなしており、その各角部において表面側に突出する突出部６６が複数（この例では６個）設けられている。
更にハンドル２１は、その外周面の角部と角部との間の部分が指掛り用の凹部６８とされている。
【００４３】
次に本例の止水栓装置の作用を図６ないし図１０に基づいて以下に詳述する。
図６（Ｉ）はハンドル２１を正規に組み付けた状態、尚且つそのハンドル２１によって止水弁体１８を完全開にした状態を示している。
この状態でハンドル２１を回転操作すると、その回転量に応じて止水弁体１８の開口３４の位置が回転方向に移動し、これに伴って通水量が減少する。
【００４４】
尚このとき、ハンドル２１の掛止突部５４と弁ケーシング２４の鍔状部５６、即ち止水栓本体側の鍔状部５６とは図２（Ｉ）に示す状態、即ち軸方向に互いに掛止した状態にあり、従ってこの状態ではハンドル２１は軸方向に取り外すことはできない。
【００４５】
図６（II）はこのようにして止水弁体１８を完全閉止位置まで回転操作した状態を示している。
このとき、同図(II)(Ａ)に示しているようにハンドル２１の掛止突部５４と弁ケーシング２４の鍔状部５６、即ち止水栓本体側の鍔状部５６の切欠部５８とが丁度対向した状態となる。即ち掛止突部５４と鍔状部５６との掛止が解除された状態となる。
ここにおいて図６（III）及び図８（II）に示しているようにハンドル２１を軸方向に取外し可能となる。
【００４６】
図７及び図９，図１０は一旦取り外したハンドル２１を用いてストレーナ２０を取外し作業する様子を表している。
即ち、先ず図７（IV）及び図９（III）に示しているようにストレーナ２０を取外し作業するには、ハンドル２１を表裏裏返しとする。つまり表面側が図中下向きとなるようにハンドル２１の向きを変える。
【００４７】
そして図７（Ｖ）及び図９（IV）に示しているように、ハンドル２１の表面側に形成した係合突部６４を、ストレーナ被操作部としての栓体４０の係合溝４４に嵌め合せる。
このときハンドル２１の表面側の複数の突出部６６が止水弁体１８における被操作部３８に外嵌した状態となる。
【００４８】
ここにおいてハンドル２１と栓体４０及びストレーナ２０とが一体回転状態に係合した状態となり、従ってこの状態でハンドル２１を回転操作することで栓体４０及びストレーナ２０を止水栓本体から、詳しくは逆止弁１９における弁ケーシング２４から取り外すことができる。
図７（VI）及び図１０（Ｖ）はこのときの状態を示している。
【００４９】
このようにしてストレーナ２０を取り外したところでこれを清掃し、その後再びこれをハンドル２１を用いて止水栓本体側に組み付ける。そしてストレーナ２０及び栓体４０を組み付け終わったら、そこで再びハンドル２１を取り外してその向きを逆転させ、止水栓本体側に再度組み付ける。
【００５０】
以上のような本例の止水栓装置によれば、ストレーナ２０のメンテナンス作業を行う際、従来のように必要な工具を遠く離れた工具の収納箇所まで取りに行くといった必要がなく、単にハンドル２１を取り外し、そのハンドル２１を用いてストレーナ２０を取り外して清掃作業等のメンテナンス作業を行うことができ、また作業終了後においても同じくそのハンドル２１を用いてストレーナ２０を再び組み付けることが可能であり、ストレーナ２０のメンテナンス作業を容易に行うことができる。
【００５１】
また必要な工具が見付からないことによってストレーナ２０のメンテナンス作業がなかなかできないといった問題も解消することができる。
またハンドル２１はドライバ等の工具と異なって弱い力でも操作可能であり、従って美容院等において女性でも簡単にストレーナ２０の脱着作業を行うことができる。
【００５２】
更に本例の止水栓装置の場合、ハンドル２１の裏面側に止水弁係合部としての係合突起５０を、また表面側に機器係合部としての係合突部６４を設けているため、ハンドル２１の表裏を裏返すことによって、同じハンドル２１を容易に止水弁用ハンドルとしても、またストレーナ２０用工具としても用いることができる。
【００５３】
本例ではまた、ハンドル２１を平面六角形状となすとともに、外周面の角部と角部との間の部分に指掛り用の凹部６８を形成しているため、角部及び凹部６８によって指の滑りを防止して操作力を十分にハンドル２１に伝えることができ、ハンドル２１を軽やかに回転操作することができる。
【００５４】
また本例の止水栓装置においては、ストレーナ２０を脱着操作する際、ハンドル２１の角部に設けた突出部６６が止水弁体１８の被操作部３８に外嵌することによって、ハンドル（工具）２１をストレーナ２０の被操作部（栓体４０）の係合溝４４に対し係合状態に保持することができ、これによりストレーナ２０の脱着作業性が良好となる。
更にそのような突出部６６を設けておくことで、止水弁体１８の操作をハンドル２１によって行う際に軸方向の指掛り長さが長くなり、ハンドル２１を摘み易くなるとともに、操作力を効率的にハンドル２１に伝えることができる。
【００５５】
本例の止水栓装置においては、止水弁体１８を完全閉止位置まで操作した状態でハンドル２１を取外し可能となしていることから、止水弁体１８が完全閉止位置まで到らない状態でハンドル２１が外れてしまい、その状態で誤ってストレーナ２０を取り外し、通水路１２内の水がそのストレーナ２０の取付箇所から外部に溢れ出させてしまうといった不都合を回避することができる。
【００５６】
図１１ないし図１３は本発明の他の実施例を示している。
この例は止水栓装置に水抜ピン７０を組み込んだ場合の例で、ハンドル２１の貫通孔７２を貫通して水抜ピン７０が外部に突き出している。
水抜ピン７０は、逆止弁体２６に対して軸方向に対向しており、この水抜ピン７０を図中下向きに押し込むことで逆止弁体２６を開弁させ、水抜動作を行わせる。
【００５７】
本例では、図１２に明かに示しているように栓体４０に水抜ピン７０を貫通させるための貫通孔７４が設けられており、栓体４０の表面にこの貫通孔７４から放射状に延びる、全体として略十字状をなす係合溝４４が形成されている。
また一方ハンドル２１の表面側には、これに対応した形状の略十字状をなす係合突部（機器係合部）６４が形成されている。
そしてそれら係合突部６４と係合溝４４とを係合させることによって、ハンドル２１の回転操作によりストレーナ２０を栓体４０及び水抜ピン７０とともに取外しできるようになっている。
図１３はその際の作用を表している。
【００５８】
このうち図１３（Ｉ）は、ハンドル２１によって止水弁体１８を回転操作する際の状態を示しており、また図１３（II）は止水弁体１８を完全閉止位置まで操作した上でハンドル２１を取り外し、その向きを逆転させてハンドル２１をストレーナ２０の被操作部としての栓体４０に一体回転状態に係合させた状態を示している。
この状態でハンドル２１を回転操作することで、ストレーナ２０を栓体４０及び水抜ピン７０とともに、止水栓本体から取り外すことができる（図１３（III）参照）。
【００５９】
尚、以上の例において止水弁体１８の被操作部３８を場合によってハンドルの一部として構成することも可能である。
この場合ハンドル２１は全体のハンドルの一部となる。
即ち本発明は、ハンドル全体を取外し可能とするのでなくその一部を取外し可能となして、これをストレーナ２０の脱着工具として働かせるようになすことも可能である。
【００６０】
また上記実施例は止水栓装置に逆止弁１９及びストレーナ２０を組み込んだ場合の例であるが、本発明は逆止弁，ストレーナ等を止水栓装置とは別の箇所に設けた場合においても適用可能なものである。
【００６１】
図１４は本発明の更に他の実施例を示している。
同図において８２は配管部材としての管体８４に組み付けられた逆止弁であって、逆止弁体２６と弁ケーシング２４とを有している。
ここで弁ケーシング２４は、逆止弁体２６を保持する本体部２４Ａと、その一端側開口を閉鎖するキャップ（被操作部）２４Ｂとから成っており、そのキャップ２４Ｂにおいて管体８４にねじ結合されている。
【００６２】
この弁ケーシング２４、詳しくはキャップ２４Ｂには上例と同様の略十字状の係合溝４４が形成されており、この係合溝４４に対しハンドル２１の略十字状の係合突部６４が係合するようになっている。
尚８６は配管部材を構成する可撓性のホースであって、その端部が弾性クリップ８８によって管体８４に接続されている。
【００６３】
この例の場合、ハンドル２１を取り外した上で、図１５に示しているように表面側の係合突部６４を逆止弁８２における弁ケーシング２４の係合溝４４に係合させ、その状態でハンドル２１を回転操作することによって、逆止弁８２を管体８４から取り外し、或いはまた逆に一旦取り外した逆止弁８２を管体８４に取り付けることができる。
【００６４】
図１６は本発明の更に他の実施例を示している。
同図において９０は管体８４における接続口９２を閉鎖するキャップ（被操作部）であって、略十字状の係合溝４４を有しており、この係合溝４４においてハンドル２１により回転操作されるようになっている。
【００６５】
即ち図１７に示しているように、本例においてもハンドル２１の係合突部６４をキャップ９０の係合溝４４に係合させ、そしてハンドル２１を回転操作することによってキャップ９０を管体８４から取り外し、或いは逆に管体８４に組み付けられるようになっている。
【００６６】
尚図１６に示すキャップ９０は、図１４の逆止弁８２における弁ケーシング２４の一部を成すキャップ２４Ｂと同様の構成のものである。
即ち図１６に示す状態は、逆止弁８２における逆止弁体２６及びこれを保持する弁ケーシング２４の本体部２４Ａを取り外した状態と見ることができる。
【００６７】
但しキャップ９０は逆止弁８２におけるキャップ２４Ｂに限定されるものではなく、他の様々な形態となすことができるし、またキャップ９０による接続口９２の閉鎖目的も、管体８４に対して逆止弁８２を組み込む必要がない場合の外、図１８に示しているように配管部材としてのエルボ管９４その他の配管部材を管体８４に対して接続する必要がない場合において、その接続口９２を閉鎖する目的で用いることができる。
【００６８】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である止水栓装置を示す図である。
【図２】  同じ実施例の止水栓装置の要部を拡大して示す図である。
【図３】  同じ実施例の止水栓装置を、弁ユニットを分離した状態で示す図である。
【図４】  同じ実施例の止水栓装置における弁ユニットを各部材に分解して示す図である。
【図５】  同じ実施例の止水栓装置におけるハンドルとその周辺部材とを分離した状態で示す図である。
【図６】  同じ実施例の止水栓装置の作用説明図（断面図）である。
【図７】  図６に続く作用説明図（断面図）である。
【図８】  同じ実施例の止水栓装置の作用説明図（斜視図）である。
【図９】  図８に続く作用説明図（斜視図）である。
【図１０】  図９に続く作用説明図（斜視図）である。
【図１１】  本発明の他の実施例の止水栓装置の要部を示す図である。
【図１２】  図１１の実施例の止水栓装置をハンドルを取り外した状態で示す図である。
【図１３】  図１１の実施例の止水栓装置の作用説明図である。
【図１４】  本発明の更に他の実施例を示す図である。
【図１５】  図１４の実施例の作用説明図である。
【図１６】  本発明の更に他の実施例を示す図である。
【図１７】  図１６の実施例の作用説明図である。
【図１８】  図１６，図１７の実施例の接続口にエルボ管を接続した状態を示す図である。
【符号の説明】
１８  止水弁体
２０  ストレーナ
２１  ハンドル
３８  被操作部（止水弁体の被操作部）
４０  栓体（ストレーナの被操作部）
４６  雄嵌合部
４８  雌嵌合部
５０  係合突起（止水弁係合部）
５４  掛止突部（掛止部）
５６  鍔状部（掛止部）
６４  係合突部（機器係合部）
６６  突出部
６８  凹部
【図１】
0003842028.tif 000002
【図２】
0003842028.tif 000003
【図３】
0003842028.tif 000004
【図４】
0003842028.tif 000005
【図５】
0003842028.tif 000006
【図６】
0003842028.tif 000007
【図７】
0003842028.tif 000008
【図８】
0003842028.tif 000009
【図９】
0003842028.tif 000010
【図１０】
0003842028.tif 000011
【図１１】
0003842028.tif 000012
【図１２】
0003842028.tif 000013
【図１３】
0003842028.tif 000014
【図１４】
0003842028.tif 000015
【図１５】
0003842028.tif 000016
【図１６】
0003842028.tif 000017
【図１７】
0003842028.tif 000018
【図１８】
0003842028.tif 000019